(57)【要約】【課題】例えばトラック荷台のあおりを水平状態に倒した状態とすることで、あおり上を、作業員が載る作業スペースとして荷の積み下ろし等の際の荷の仮置きスペースとして利用することを前提に、トラック荷台のあおりを水平状態に倒した状態で立て掛ける場合、簡単な作業で容易に固定でき、固定後は確実にステップを所定位置に保持できる。【解決手段】両側一対の支柱にステップ板を適宜間隔で取り付けた昇降用ステップの固定装置であって、細長板状の曲げ部材にコ字形部を設けて例えばトラックのあおりなどの被固定部を水平に挟み込む挟着部１２に形成し、この挟着部１２のコ字形の下辺先端から直角方向の下側に差込片１３を突設して、前記挟着部１２と差込片１３とで固定部材を構成し、挟着部１２の上辺から支柱１への取付部１５を垂直方向に回動自在に軸着した。【選択図】        図１
2010270438.tif 000002
【特許請求の範囲】
【請求項１】
両側一対の支柱にステップ板を適宜間隔で取り付けた昇降用ステップの固定装置であって、細長板状の曲げ部材にコ字形部を設けて被固定部を水平に挟み込む挟着部に形成し、この挟着部のコ字形の下辺先端から直角方向の外側に差込片を突設して、前記挟着部と差込片とで固定部材を構成し、挟着部の上辺から支柱への取付部を垂直方向に回動自在に軸着したことを特徴とする昇降用ステップの固定装置。
【請求項２】
上辺以外の挟着部、差込片および取付部は、支柱の左右両側に配設され、左右の差込片の先端は水平杆で一体に連結される請求項１の昇降用ステップの固定装置。
【請求項３】
挟着部の上辺は、左右の支柱の少なくとも外側に設ける請求項１記載の昇降用ステップの固定装置。
【請求項４】
挟着部の上辺は、先端開口に向けて外側に広がるテーパーに形成する請求項３記載の昇降用ステップの固定装置。
【請求項５】
取付部を固定位置に係止するストッパーを支柱に取り付けた請求項１記載の昇降用ステップの固定装置。
【請求項６】
挟着部および差込片は軟質部材で被覆される請求項１から請求項５のいずれかに記載の昇降用ステップの固定装置。
【請求項７】
挟着部と差込片とで構成する固定部材の上方に位置させて被固定部を上方から押さえる押さえ片を支柱から斜め下方に突出するように回動自在に軸着した請求項１から請求項６のいずれかに記載の昇降用ステップの固定装置。
【発明の詳細な説明】
【技術分野】
【０００１】
本発明は、例えばトラック荷台の所要箇所に立て掛けて使用される梯子としての昇降用ステップの固定装置に関するものである。
【背景技術】
【０００２】
作業員が、トラックの荷台での作業のために荷台部に対し昇り降りしたり、荷台部から小荷物等を持って降りたりするためには昇降用ステップが必要である。
【０００３】
トラックの荷台は、周囲に開閉自在なあおりを有するが、トラックの荷台への乗り降りや昇降や荷の積み下ろしのための昇降用ステップとしては、車輪を有する階段構造の移動ステップが用いられるが、収納場所や設置の容易性に難があり、また、不要な際にはトラック荷台に搭載しておくのに適さない。
【０００４】
これに対して、このように、作業員が、トラックの荷台部での作業のために荷台部に対し昇り降りしたり、荷台部から小荷物等を持っておりたりするためのトラック専用の梯子は、従来、知られておらず、従って、トラック荷台部での昇降には、両側一対の支柱に踏杆を所要間隔おきに横架してなる普通の梯子が使用されている。
【０００５】
しかし、普通の梯子をトラックの荷台部の所要箇所、例えば、荷台部に取り付けてある煽り外板（左右各サイドにある側煽り外板及び後ろ側にある後煽り外板がある）にそのまま立て掛けて使用する場合、梯子が煽り板から転倒しやすいため、梯子を昇り降りする作業者以外の他の作業者等がその梯子を保持しなければならず、非常に面倒であった。
【０００６】
下記特許文献１は、普通の梯子に代わるものとして、トラック荷台部の煽り外板上端、あるいは煽り外板の上に取り付けられた手摺、あるいはまた煽り外板を倒した状態での荷台部に立て掛けても、転倒したりすることなく、安全に自己保持させることができるとして提案されている。
【特許文献１】特開２００５−４８３８１号公報
【０００７】
これは図５に示すように、トラック用昇降梯子Ａは、両側一対の支柱１，１に踏杆２を所要間隔おきに横架してなる梯子３と、この梯子３の片側の支柱１に取り付けられる手摺４と、梯子３の両支柱１，１の夫々上部側に設けられ、トラックの荷台部５の立て掛け箇所に掛止される掛止具６から構成される。
【０００８】
梯子３の各支柱１は、図示は省略するが、支柱本体と、この支柱本体の下端部に伸縮調整自在に連結される伸縮部材とから構成され、伸縮部材の下端部には接地ベース９が枢着されている。接地ベース９の底面には滑り止めが施されている。
【０００９】
掛止具６は、梯子３の各支柱１に一端部を枢着された回動自在な回動板１０と、この回動板の先端部に固着された略Ｌ字状の掛止具本体１１と、梯子３が所定の傾斜角度の立て掛け姿勢にある時に掛止具本体１１を支柱１から前方へ水平に突出した掛止位置に保持する掛止位置保持手段と、掛止具本体１１を支柱１側に退避した退避位置に保持する退避位置保持手段とによって構成される。
【００１０】
使用方法について説明すると、昇降梯子Ａの使用にあたって、トラック荷台部５のあおりＲを倒した状態でそのあおりＲの基端部３７に昇降梯子Ａを立て掛けて使用する場合は、梯子３を地面Ｇに対して所定傾斜角度になるように前傾させながら、掛止具６の掛止具本体１１を荷台部５に枢着されているあおりＲの基端部３７に掛止させる。
【００１１】
あおりＲが荷台部５に対し起立させてあって、このあおりＲに立設されたガードバー３８の上端部に昇降梯子Ａを立て掛けて使用する場合にも、同様に、掛止具６の掛止具本体をガードバー３８の上横枠に掛止させる。
【００１２】
このように昇降梯子Ａをトラック荷台部５の所要箇所に立て掛けて使用する際には、梯子３の両支柱１，１の夫々上部側に設けた掛止具６が、トラック荷台部５の立て掛け箇所、即ち図５の例ではあおりＲの基端部３７、またガードバー３８の上横枠に掛止されて、自己保持されるから、作業者が梯子３を保持する必要がなく、従って昇降梯子Ａの使用に余分な作業員を必要とせず、昇降梯子Ａを安全に使用することができる。
【発明の開示】
【発明が解決しようとする課題】
【００１３】
ところで、トラック荷台のあおりは、荷の積み下ろし等の際に水平状態に倒した状態とすることができると、あおり上を作業員が載る作業スペースとして使用でき、荷台いっぱいに荷を積む場合に便利である。
【００１４】
しかし前記特許文献１のトラック用昇降梯子に取り付けてあるあおりへの固定装置である掛止具６は略Ｌ字状の掛止具本体１１を引っ掛けるもので、トラック荷台のあおりを垂直に立てた状態か、もしくはこの立てた状態から１８０°折り畳んで倒した状態に限定された使用であり、水平状態に倒したあおりに使用できる固定装置はなかった。
【００１５】
なお、特開２０００−３１００９３号公報には、マンホールなどの昇降時に使用する折畳み式タラップとして、マンホールの開口スラブに水平に掛止する固定金物が開示され、また、特開２００４−１２４３５９号公報には作業台の水平部に固定する取付部を備える踏み梯子が開示されている。
【００１６】
しかしながら、これらの発明に開示の固定装置は、いずれも開口スラブや作業台の端縁を上下から挟み込む構造とする場合、挟着力を付与するための締付けネジやバネを必要とし、構造が複雑となるだけでなく、取り付けの手間も要して作業性がよくなかった。
【００１７】
本発明は前記従来例の不都合を解消し、例えばトラック荷台のあおりを水平状態に倒した状態とすることで、あおり上を、作業員が載る作業スペースや荷の積み下ろし等の際の荷の仮置きスペースとして利用することを前提に、トラック荷台のあおりを水平状態に倒した状態で立て掛けても、滑ったりすることなく、安全に自己保持させることができ、梯子があおりの支持脚として水平に倒したあおりを支えることにもなり、あおりの荷重受け強度を増すこともできることに加えて、トラック荷台への取り付けの容易性および確実性、不使用の際のステップのトラック荷台への収納性にも優れる例えばトラック荷台昇降用梯子などの昇降用ステップの固定装置を提供することを目的とする。
【課題を解決するための手段】
【００１８】
前記目的を達成するため、本発明の昇降用ステップの固定装置は、第１に、両側一対の支柱にステップ板を適宜間隔で取り付けた昇降用ステップの固定装置であって、細長板状の曲げ部材にコ字形部を設けて被固定部を水平に挟み込む挟着部に形成し、この挟着部のコ字形の下辺先端から直角方向の下側に差込片を突設して、前記挟着部と差込片とで固定部材を構成し、挟着部の上辺から支柱への取付部を垂直方向に回動自在に軸着したことを要旨とするものである。
【００１９】
請求項１記載の本発明によれば、例えばトラック荷台のあおりを水平状態に倒して、これに昇降用ステップを固定する場合、あおりの端部をコ字形の挟着部に水平に差し込むだけで昇降用ステップがあおりに固定される。
【００２０】
また、あおりを下方に向けて垂直に降ろした状態でも、コ字形の挟着部の下辺先端から垂設した差込片をあおりとトラック荷台の床部との隙間に上方から差し込むことで昇降用ステップが荷台に固定される。
【００２１】
請求項２記載の本発明は、上辺以外の挟着部、差込片および取付部は、支柱の左右両側に配設され、左右の差込片の先端は水平杆で一体に連結されることを要旨とするものである。
【００２２】
請求項２記載の本発明によれば、上辺以外の挟着部、差込片および取付部は、支柱の左右両側に配設され、左右の差込片の先端は水平杆で一体に連結されるから、強度的にも信頼でき、例えばトラック荷台のあおりにしっかりと固定できる。
【００２３】
請求項３記載の本発明は、挟着部の上辺は、左右の支柱の少なくとも外側に設けることを要旨とするものである。
【００２４】
請求項３記載の本発明によれば、挟着部の上辺を支柱の外側に設けることで、上辺がステップ板を昇降する際に邪魔にならない。
【００２５】
請求項４記載の本発明は、挟着部の上辺は、先端開口に向けて外側に広がるテーパーに形成することを要旨とするものである。
【００２６】
請求項４記載の本発明によれば、挟着部は奥にいくにしたがい高さ方向の幅が狭くなるから、上辺と下辺との間に差し込まれる例えばあおりは、あおりの端部が挟着部に突き当たるまで差し込めば、この位置でガタツクことなくしっかりと固定され、また、ステップに対して倒れる方向に力が加わってもあおりが挟着部から抜けることはない。
【００２７】
請求項５記載の本発明は、取付部を固定位置に係止するストッパーを支柱に取り付けたことを要旨とするものである。
【００２８】
請求項５記載の本発明によれば、挟着部や差込片は、ストッパーで所定位置に固定されるから、例えばあおりへの挿着作業中に動くことがなく、作業性がよい。
【００２９】
請求項６記載の本発明は、挟着部および差込片は軟質部材で被覆されることを要旨とするものである。
【００３０】
請求項６記載の本発明によれば、あおりと接触する部分が軟質材料で被覆されているから、あおりを損傷させることなく固定部材をあおりに固定できる。
【００３１】
請求項７記載の本発明は、挟着部と差込片とで構成する固定部材の上方に位置させて被固定部を上方から押さえる押さえ片を支柱から斜め下方に突出するように回動自在に軸着したことを要旨とするものである。
【００３２】
請求項７記載の本発明によれば、被固定部を上方から押さえる押さえ片も同じ支柱に設けたから、例えばあおりを垂直に立てたままの状態でも固定部材をあおりに固定できる。
【発明の効果】
【００３３】
以上述べたように本発明の昇降用ステップの固定装置は、例えばトラック荷台のあおりを水平状態に倒した状態とすることで、あおり上を、作業員が載る作業スペースとして荷の積み下ろし等の際の荷の仮置きスペースとして利用することを前提に、トラック荷台のあおりを水平状態に倒した状態で立て掛ける場合、簡単な作業で容易に固定でき、固定後は確実にステップを所定位置に保持できるものである。
【発明を実施するための最良の形態】
【００３４】
以下、図面について本発明の実施の形態を詳細に説明する。図１は本発明の昇降用ステップの固定装置の実施形態を示す要部である下部の固定部材の斜視図、図２は同上上部の固定部材の斜視図、図３は本発明の固定部材を有するステップの斜視図である。
【００３５】
本発明の昇降用ステップの固定装置は、例えばトラック荷台のあおりの所要箇所に立て掛けて使用される梯子としてのトラック荷台昇降用ステップに設置されるものであって、昇降用ステップは、周知のように一対の支柱１，１間に複数の踏み桟３ａを適宜間隔で取り付けてなる梯子３により構成される。
【００３６】
本発明の固定装置は、梯子３に装着される下部の固定部材として、図１、図３、図４に示すように、被固定部であるあおりＲを水平に挟み込む挟着部１２と、挟着部１２から下方に垂設する差込片１３と、挟着部１２を支柱１に垂直方向に回動自在に軸着する取付部１５とで構成する。
【００３７】
この下部の固定部材は、荷台に対して水平に倒した状態のあおり、垂直に１８０度回転させて下方に垂下させた状態のあおりに梯子３を固定するためのもので、水平に倒した状態のあおりに使用する固定部材としての挟着部１２は、細長板状の曲げ部材にコ字形部を設けることで形成した。
【００３８】
このコ字形部は、細長板状の曲げ部材を折り曲げて一体に形成してもよいが、図１に示すように細長板状の曲げ部材をＬ字形に折り曲げて、Ｌ字形の垂直部の内側に別のＬ字形の部材を向かい合わせるようにしてボルトなどで取り付け、全体としてコ字形に形成することもできる。
【００３９】
この場合、図示の例ではコ字形の下辺１２ｂを形成するＬ字形の折り曲げ部分は、支柱１の左右の内側と外側の両側に設けるが、コ字形の上辺１２ａを形成するＬ字形の折り曲げ部材は、支柱１の外側に位置する下辺１２ｂを形成するＬ字形の折り曲げ部材にのみ取り付ける。
【００４０】
このようにしてコ字形の上辺１２ａと下辺１２ｂとで挟着部１２が形成されるが、上辺１２ａは先端を開口に向けて外側に広がるテーパー部に形成する。
【００４１】
また、あおりを垂直方向に１８０度回転させて垂下した状態で、梯子３を荷台に固定するための部材として、この挟着部１２のコ字形の左右の下辺１２ｂの先端から直角方向の下側に差込片１３を一体に突設し、左右の差込片１３の先端は水平杆１４でさらに一体に連結する。
【００４２】
これにより、前記したように支柱１の左右の内側と外側に配置される一対の下辺１２ｂ，１２ｂの間には空間が形成される。この空間は、後述するように支柱１に対して挟着部１２を折畳んだときの挟着部１２の収納部となって、挟着部１２を支柱１に対してコンパクトに折畳めるようにするためのものである。
【００４３】
そして、挟着部１２および差込片１３、水平杆１４は、あおりやトラック荷台などに直接接触する部材であることから、あおりなどが損傷することを防止するために、軟質塩ビなどの軟質部材で被覆する。
【００４４】
さらに、細長コ字形に形成した取付部１５を挟着部１２の上辺１２ａから突設し、この細長コ字形の開口内で支柱１を挟み込み、取付部１５の下部から突設した回動片１５ａを支柱１の左右両側に回動自在に軸着する。これにより、挟着部１２および差込片１３が回動自在に支柱１に取り付けられる。
【００４５】
支柱１に対して挟着部１２などが突出する側とは反対の側に位置させて、取付部１５を固定位置に係止するストッパー１６を支柱１に回動自在に軸着する。このストッパー１６は、フック状に形成され、先端のフック部が取付部１５の下縁に係止する。
【００４６】
さらに図２、図３に示すように前記下部の固定部材の上方に位置させて、上部の固定部材として、支柱１に被固定部であるあおりを上方から押さえる押さえ片１７を支柱１から斜め下方に突出するように回動自在に軸着した。
【００４７】
この押さえ片１７は、平面コ字形のチャンネル状の取付部１８の上部を支柱１の左右側部に回動自在に軸着し、取付部１８の下部に円弧状のガイド長孔１８ａを形成し、支柱１に取り付けた突起１９をこのガイド長孔１８ａから突出させて係合させる。
【００４８】
前記取付部１８の下端部左右から左右に水平突片１７ａを突出させるとともに、下端部正面側から下方垂直方向に垂直突片１７ｂを突出させ、この水平突片１７ａと垂直突片１７ｂとで押さえ片１７を構成する。
【００４９】
さらに、垂直突片１７ｂに対向する位置で、断面コ字形のチャンネル状の金具当て２０を支柱１に固定する。
【００５０】
前記垂直突片１７ｂは、金具当て２０に対して、下部先端が外側に広がるようなテーパー状に形成し、垂直突片１７ｂと金具当て２０とで形成される開口が上方にいくにしたがい狭くなるようにする。
【００５１】
前記押さえ片１７および金具当て２０もあおりに接触する部分は軟質塩ビなどの軟質部材で被覆する。
【００５２】
次に、例えば、トラック荷台のあおりに固定する梯子に本発明の固定装置を取り付けた場合を例にとって、使用法を説明する。不使用時には、下部固定部材の挟着部１２と差込片１３とは回動片１５ａの箇所で上方に回動し支柱１にそって折り畳まれている。
【００５３】
この状態で、左右一対の下辺１２b，１２bの間に形成されている空間内に支柱1が入り込み、この空間に支柱1が収納されるから、コンパクトに折畳める。
【００５４】
この状態から水平に倒したあおりに梯子３を固定するため、固定装置をあおりに固定するには、回動片１５ａを介して挟着部１２と差込片１３とをあおりの方向に回動し、ストッパー１６の先端のフック部を取付部１５の上縁に係止して挟着部と差込片１３が収納方向に回動しないように固定する。
【００５５】
下部固定部材があおりの高さに合致するように梯子３の高さを調整し、コ字形の挟着部１２の開口にあおりの端部を合致させ、開口内であおりの先端が上辺１２ａにあたるまで挿入する。この場合、上辺１２ａはテーパーに形成してあるから、あおりの端部が上辺１２ａに当たるまで差し込まれた状態が、奥まで挿入された状態であり、この位置で固定されガタツクことはない。
【００５６】
また、この状態ではあおりは上下から挟み込まれ、ストッパー１６により梯子３が倒れる方向に挟着部１２があおりから抜け出ることも阻止されているから、昇降時の安全を確保できる。
【００５７】
あおりをさらに下方に回動し、先端を下方に向けて垂直に倒した状態で、梯子３の固定装置をトラックに固定するには、先端の差込片１４をあおりとトラック荷台の床部との間に形成されている隙間に上方から差し込む。
【００５８】
これにより挟着部１２の下辺１２ｂがあおりの上部に当接した状態で差込片１４が狭い隙間に差し込まれ、昇降時にガタツクこともなく、梯子３が倒れる方向に差込片１４が抜け出るおそれもなく、安全に使用できる。
【００５９】
以上のように挟着部１２にあおりの端部を差し込むだけの作業、また、差込片１３をあおりとトラック床部の隙間に差し込むだけの作業で、固定装置を容易かつ確実にあおりなどに固定できる。
【００６０】
あおりを垂直に立てたまま状態で梯子３をあおりに固定するには、上部の固定部材を使用する。不使用時には取付部１８が上部の回動軸着部を中心にして支柱１側に回動して、支柱１と平行に折り畳まれ、押さえ片１７も支柱１に近接している。
【００６１】
この状態からガイド長孔１８ａにそって取付部１８をあおりの方向に回動すれば、押さえ片１７が支柱１から突出し、金具当て２０と垂直突片１７ｂとの間に下向きの開口が形成され、金具当て２０と垂直突片１７ｂと水平突片１７ａとでコ字形の空間が形成される。
【００６２】
よって、前記開口をあおりの頂部に合致させ、ここからあおりの頂部にぶつかるまで押さえ片１７をあおり上部に引っ掛ければ、押さえ片１７はガタツクことなくあおりに固定される。
【００６３】
そして、この状態で押さえ片１７は背面側を垂直突片１７ｂで、上部を水平突片１７ａであおりを挟みこむから、梯子３が倒れる方向に押さえ片１７が抜けることもない。このようにして上部の固定部材も簡単な作業で確実にあおりに固定される。
【００６４】
前記実施形態は、トラック荷台への昇降用ステップに使用するものとして説明したが、これに限定されるものではなく、通常の梯子や昇降階段への固定装置としても使用可能なものである。
【図面の簡単な説明】
【００６５】
【図１】本発明の昇降用ステップの固定装置の実施形態を示す要部の斜視図である。
【図２】本発明の昇降用ステップの固定装置の実施形態を示す上部固定部材の斜視図である。
【図３】本発明の固定装置が実施されるトラック荷台昇降用ステップの斜視図である。
【図４】本発明の固定装置が実施されるトラック荷台昇降用ステップの要部の側面図である。
【図５】従来のトラック用昇降梯子を示す全体斜視図である。
【符号の説明】
【００６６】
Ａ  昇降梯子                        Ｒ  あおり
Ｇ  地面
１  支柱                            １ａ  支柱本体
２  踏杆                            ３  梯子
３ａ  踏み桟                        ４  手摺
５  荷台部                          ６  掛止具
７  上部金具                        ８  下部金具
９  接地ベース                      １０  回動板
１１  掛止具本体                    １２  挟着部
１２ａ  上辺                        １２ｂ  下辺
１３  差込片                        １４  水平杆
１５  取付部                        １５ａ  回動片
１６  ストッパー                    １７  押さえ片
１７ａ  水平突片                    １７ｂ  垂直突片
１８  取付部                        １８ａ  ガイド長孔
１９  突起                          ２０  金具当て
３７  基端部                        ３８  ガードバー
【図１】
2010270438.tif 000003
【図２】
2010270438.tif 000004
【図３】
2010270438.tif 000005
【図４】
2010270438.tif 000006
【図５】
2010270438.tif 000007